(57)【要約】【課題】家具等を配置変えすることなく居室内にて簡単に移動し、居室内の模様替えを可能とした室内移動式の個室ユニットを提供する。【解決手段】箱状に形成した個室１の床下面の四隅にキャスタ６を起倒可能に設置し、前記キャスタ６を起倒させるために四隅の対角線上にあるキャスタ６をターンバックル付きのクロスロッドで連繋し、前記キャスタ６を起立して個室１を室内フロア面より浮上させて移動可能とし、前記キャスタ６を床下面に倒して個室１を室内フロア面に設置するようにした。【選択図】図１
2008261110.tif 000002
【特許請求の範囲】
【請求項１】
箱状に形成した個室の床下面の四隅にキャスタを起倒可能に設置し、前記キャスタを起倒させるために四隅の対角線上にあるキャスタをターンバックル付きのクロスロッドで連繋し、前記キャスタを起立して個室を室内フロア面より浮上させて移動可能とし、前記キャスタを床下面に倒して個室を室内フロア面に設置するようにしたことを特徴とする室内移動式の個室ユニット。
【発明の詳細な説明】
【技術分野】
【０００１】
本発明は、室内移動式の個室ユニットに関するものである。
【背景技術】
【０００２】
従来、居室内の模様替えには移動可能とした間仕切り壁を設け、この間仕切り壁を移動するのが一般的である。
【０００３】
居室内の模様替えには、小棚、テーブル、ソファー、タンス等の家具の配置変えや移動用レールを備えた間仕切り壁若しくは間仕切り壁自体をキャスタ等で移動して仕切りを変更する面倒な模様替え作業を必要としている。
【特許文献１】特開２００４−１９８０３９公報
【発明の開示】
【発明が解決しようとする課題】
【０００４】
本発明の目的は、家具等を配置変えすることなく居室内にて簡単に移動し、居室内の模様替えを可能とした室内移動式の個室ユニットを提供することである。
【課題を解決するための手段】
【０００５】
本発明は、この目的を達成するために、請求項１に記載の通り、箱状に形成した個室の床下面の四隅にキャスタを起倒可能に設置し、前記キャスタを起倒させるために四隅の対角線上にあるキャスタをターンバックル付きのクロスロッドで連繋し、前記キャスタを起立して個室を室内フロア面より浮上させて移動可能とし、前記キャスタを床下面に倒して個室を室内フロア面に設置するようにしたことを特徴とするものである。
【発明の効果】
【０００６】
本発明によれば、居室内で家具等を配置変えすることなく個室自体を自由に移動が可能であり、リフォームレベルの模様替えが簡単で何度でも楽しめる効果を有している。
【発明を実施するための最良の形態】
【０００７】
以下本発明を実施するための最良の形態について図面に基づいて説明する。図１は本発明の箱状に形成した個室１の構成部材を分解した状態を示すものであり、２は床、３はＣ型鋼よりなる床フレーム、４は照明具５を装備した天井板である。前記個室１にはコンセントを設け室内の電源コンセントと接続して電源を確保するようにしている。また、図７の点線で示すように個室１は前記天井板４を用いずに吹き抜け１５とし移動設置した室内の天井を利用してもよい。
【０００８】
本発明は、個室１の床フレーム３の四隅にキャスタ６を起倒可能に設置し、図２で示すように、前記キャスタ６を起倒させるために四隅の対角線上にあるキャスタ６をターンバックル７付きのクロスロッド８連繋した構成である。
【０００９】
前記キャスタ６の詳細について図３乃至図６で説明する。キャスタ６は室内フロアを傷付けないよう硬質ゴムとすることが望ましい。このキャスタ６はホルダ１０に回転自在に取り付けられており、このホルダ１０の上部にキャスタ６の回転軸線と平行な軸線で回転軸１１が設けられている。また、キャスタ６にはストッパ１４を装備し安全性を確保している。
【００１０】
前記床フレーム３の四隅にはブラケット１２が設けられており、このブラケット１２にホルダ１０の上部の回転軸１１を介してキャスタ６が起倒可能に取り付けられている。
【００１１】
前記ターンバックル７付きのクロスロッド８はホルダ１０に結合されており、ターンバックル７を操作することにより図５で示すように、キャスタ６は起立して個室１を室内フロア面１３より浮上させ、また、図６で示すように、キャスタ６は倒れて個室１を室内フロア面１３に設置する。
【００１２】
床フレーム３の四隅に設置したキャスタ６が露呈していては外観を損なうため、床フレーム３の周囲にを隠し板１６を取り付け、キャスタ６を隠し板１６で隠蔽する。この隠し板１６は床フレーム３の四方周囲に取り付けてもよいが、個室１を移動設置する場所が室内の隅角である場合は、個室１の直角２辺の壁は室内の隅角壁に接するため、この部位のキャスタ６は室内の隅角壁で隠蔽される。従って、このような場合は、キャスタ６が露呈する少なくとも床フレーム３の直角２辺に取り付ける。しかし、何れにおいてもキャスタ６はターンバックル７を操作して起倒する必要がある。そこで、キャスタ６の設置部位の隠し板１６にターンバックル７を操作するための窓穴を開設し、この窓穴に隠し扉９を開閉可能に取り付ける。
【００１３】
個室１は図７で例示しているように畳敷きで襖、障子、丸窓を備えた和式あるいは図示省略の板床でベッド等を備えた洋式、机を装備した勉強部屋形態等とすることは自由であり、また、空気調和設備を備えてもよい。
【００１４】
本発明は上記の通りの構造であるから、個室１の移動の際には、図５で示すように、ターンバックル７を操作してキャスタ６を起立し個室１を室内フロア面１３より浮上させストッパロックを解除することにより室内を自由に移動する。
【００１５】
個室１を室内の目的位置に移動後は図６で示すように、ターンバックル７を操作してキャスタ６を倒しストッパをロックして個室１は室内フロア面１３に設置する。
【００１６】
尚、個室１の床部は、床２の下部にＣ型鋼よりなる床フレーム３を設け、この床フレーム３の下面には、キャスタ６を起倒するためのターンバックル７付きのクロスロッド８が設けられているので、クロスロッド８は筋交いとして床部の補強メンバとして作用し、Ｃ型鋼よりなる床フレーム３と共に床部の剛性を確保している。
【００１７】
このように本発明は、居室内で家具等を配置変えすることなく個室自体を自由に移動が可能であり、リフォームレベルの模様替えが簡単で何度でも楽しめる利点を有している。
【図面の簡単な説明】
【００１８】
【図１】本発明の個室の構成部材の分解図
【図２】個室の底面図
【図３】図１のＡ部詳細図
【図４】キャスタの斜視図
【図５】キャスタの起立状態の側面図
【図６】キャスタが倒れた状態の側面図
【図７】個室を移動して設置した状態の斜視図
【符号の説明】
【００１９】
１       個室
２       床
３       床フレーム
４       天井
５       照明具
６       キャスタ
７       ターンバックル
８       クロスロッド
９       隠し扉
１０       ホルダ
１１       回転軸
１２       ブラケット
１３       室内フロア面
１４       ストッパ
１５       吹き抜け
１６       隠し板
【図１】
2008261110.tif 000003
【図２】
2008261110.tif 000004
【図３】
2008261110.tif 000005
【図４】
2008261110.tif 000006
【図５】
2008261110.tif 000007
【図６】
2008261110.tif 000008
【図７】
2008261110.tif 000009